(57)【要約】【課題】眼の視野を検査する時に眼を被覆する眼覆いであって、瞬きが可能なように且つ光を完全に遮断した状態に眼を被覆し、能率よく正確な検査を可能にする。【解決手段】片面全面に粘着剤層２を層着している支持シート１は、眉毛を含む眼の周囲全体を被覆可能な横長楕円形状又は横長長円形状に形成されてあり、この支持シート１の中央部に該支持シート１より一回り小さい形状の眼覆いパッド３を貼着し、この眼覆いパッド３の上端部に眉毛を被覆する眉毛被覆突縁部3aを設けていると共にこの眉毛被覆突縁部3a以外の眼覆いパッド３の周囲に上記粘着剤層２の外周部を露出させてあり、眉毛被覆突縁部3aにより眉毛を被覆し、それ以外の眼の周囲に粘着剤層２を貼着して眼覆いパッド３により瞬きが可能な状態に一方の眼を被覆して他方の眼の検査を行うように構成している。【選択図】図１
2006158561.tif 000002
【特許請求の範囲】
【請求項１】
眉毛を含む眼の周囲全体を被覆可能な大きさに形成され且つ片面全面に粘着剤層を設けている支持シートと、上端部に眉毛被覆突縁部を設けている遮光性を有する眼覆いパッドと、この眼覆いパッドを被覆している剥離紙とからなり、眼覆いパッドの外周端から上記眉毛被覆突縁部以外の粘着剤層の外周部を露出させた状態で該眼覆いパッドを支持シートの中央部上に貼着し、この眼覆いパッドの外周端から露出している上記支持シートの粘着剤層の外周部に眼覆いパッドを被覆した上記剥離紙を剥離可能に貼着していることを特徴とする視野等の検査用眼覆い。
【請求項２】
支持シートは横長楕円形状又は横長長円形状の柔軟な布地又は合成樹脂フィルムよりなる一方、眼覆いパッドは上記支持シートよりも一回り小さい横長楕円形状又は横長長円形状の不織布又は支持シートよりも厚い布地よりなり、この眼覆いパッドの上端縁に上方に向かって眉毛を全面的に被覆可能な形状の眉毛被覆突縁部を突設していることを特徴とする請求項１記載の視野等の検査用眼覆い。
【発明の詳細な説明】
【技術分野】
【０００１】
本発明は眼の検査、特に視野を検査する際に、光を遮断した状態で且つ瞬きが可能なように眼を被覆して視野を測定するための眼覆いに関するものである。
【背景技術】
【０００２】
従来から、視野を検査するには、一方の眼をガーゼにより被覆した状態にして他方の眼の視野を測定し、次いで、他方の眼をガーゼにより被覆した状態にして一方の眼の視野の測定を行っているが、この視野の検査時には正確な測定を可能にするために、ガーゼが鼻梁を越えないこと、ガーゼの下で瞬きができること、鼻側と下耳側が完全に遮蔽されていることが必要な条件となっている。
【０００３】
この条件を満たすようにガーゼを眼に当てがうことは比較的容易であるが、ガーゼをその状態で貼着するには、予め、ガーゼの表面に数片の粘着テープを取り付けておき、この粘着テープにおけるガーゼの外周端から突出した両端部を眼の周囲の皮膚に貼着しなければならないため、その作業に手間を要する上に、貼着時にガーゼの位置がずれて再度、貼り直さなければならない事態が発生し、円滑な検査が行えなくなるといった問題点があった。
【０００４】
一方、視野の検査用ではないが、子供の斜視等の光遮断治療を行うための光遮断眼覆いとして、例えば、参考文献１に記載されているように、片面に感圧接着剤を層着している支持シートに該支持シートよりも一回り小さい眼覆いパッドを貼着し、この眼覆いパッドの外周端から露出している支持シートの上記感圧接着剤の外周部上に剥離紙を貼着して該剥離紙により眼覆いパッドを被覆した構造のものが知られている。
【特許文献１】実開平３−２４１２０号公報
【発明の開示】
【発明が解決しようとする課題】
【０００５】
しかしながら、上記のように構成した眼覆いを視野の検査に採用した場合、支持シートが鼻梁を越えないように且つ鼻側と下耳側が完全に遮蔽されるように貼着することができるが、眼覆いパッドの外周端から突出している支持シートにおける外周部の感圧接着剤を眼の回りに接着させて眼覆いパッドを眼窩に固定させるので瞬きができなくなり、視野の検査用としては不適である。また、支持シートの外周部に層着している感圧接着剤の外周部を全周に亘って眼覆いパッドの外周端から露出させているために、支持シートを大きくすると該支持シートの上端部側の感圧接着剤が眉毛に接着して使用が困難になるといった問題点が生じる。
【０００６】
本発明は上記のような問題点に鑑みてなされたもので、その目的とするところは視野等の検査時に、瞬きが可能なように且つ外部に対する光の遮断が確実に行えるように、眼を簡単且つ正確に被覆することができる視野等の検査用眼覆いを提供するにある。
【課題を解決するための手段】
【０００７】
上記目的を達成するために本発明の視野等の検査用眼覆いは、請求項１に記載したように、眉毛を含む眼の周囲全体を被覆可能な大きさに形成され且つ片面全面に粘着剤層を設けている支持シートと、上端部に眉毛被覆突縁部を設けている遮光性を有する眼覆いパッドと、この眼覆いパッドを被覆している剥離紙とからなり、眼覆いパッドの外周端から上記眉毛被覆突縁部以外の粘着剤層の外周部を露出させた状態で眼覆いパッドを支持シートの中央部上に貼着し、この眼覆いパッドの外周端から露出している上記支持シートの粘着剤層の外周部に眼覆いパッドを被覆した上記剥離紙を剥離可能に貼着してなる構造を有している。
【０００８】
このように構成した視野等の検査用眼覆いにおいて、請求項２に係る発明は、上記支持シートを横長楕円形状又は横長長円形状の柔軟な布地又は合成樹脂フィルムより形成している一方、眼覆いパッドを上記支持シートよりも一回り小さい横長楕円形状又は横長長円形状の不織布又は支持シートよりも厚い布地より形成してなり、この眼覆いパッドの上端縁に上方に向かって眉毛を全面的に被覆可能な形状の眉毛被覆突縁部を突設していることを特徴とする。
【発明の効果】
【０００９】
本発明の視野等の検査用眼覆いによれば、眉毛を含む眼の周囲全体を被覆可能な大きさに形成され且つ片面全面に粘着剤層を設けている支持シートと、上端部に眉毛被覆突縁部を設けている遮光性を有する眼覆いパッドと、この眼覆いパッドを被覆している剥離紙とからなり、眼覆いパッドの外周端面から上記眉毛被覆突縁部以外の粘着剤層の外周部を露出させた状態で眼覆いパッドを支持シートの中央部上に貼着しているので、片面全面に粘着剤層を層着している支持シートは眉毛を含む眼の周囲全体を被覆可能な大きさに形成しているにもかかわらず、眉毛に対向する上端部の粘着剤層部分が眼覆いパッドの眉毛被覆突縁部によって隠蔽されているから眉毛に接着することはなく、眼覆いパッドの眉毛被覆突縁部によって眉毛を被覆し、且つその他の周縁部の粘着剤層によって光等を遮断した状態にして眼に貼着することができる。
【００１０】
さらに、上記眼覆いパッドの眉毛被覆突縁部を眉毛に対向させて該眉毛上に重ね合わせることによって、眼の周囲に対する支持シートの粘着剤層の貼着位置を簡単且つ確実に設定することができ、支持シートと共に眼覆いパッドによる眼の被覆作業が素早く、正確に行うことができると共に支持シートが眼を中心として眉毛を被覆する大きさに形成されているから、眼覆いパットも瞬きが可能なように眼を被覆し得る大きさ、形状に形成しておくことができ、視野等の検査が円滑且つ精度よく行うことができる。また、支持シートは眉毛に接着することなく眼覆いパッドの眉毛被覆突縁部を介して該眉毛を被覆しているので、一方の眼の検査を行ったのち、該眼覆いパッドで被覆されている他方の眼側から支持シートを簡単に剥離して他方の眼の検査に使用することができる。
【００１１】
この場合、眼覆いパッドによって被覆されていた眼は、上述したように該眼覆いパッドによって圧迫されることなく瞬きが可能なように被覆されていたので、該眼覆いパッドを剥離してこの眼を検査を行う際に、時間をあけることなく直ちに正確な視野等の測定が可能となる。
【００１２】
また、請求項２に係る発明によれば、上記支持シートを横長楕円形状又は横長長円形状の柔軟な布地又は合成樹脂フィルムより形成している一方、眼覆いパッドを上記支持シートよりも一回り小さい横長楕円形状又は横長長円形状の不織布又は支持シートよりも厚い布地より形成してなり、この眼覆いパッドの上端縁に上方に向かって眉毛を全面的に被覆可能な形状の眉毛被覆突縁部を突設しているので、支持シートの半円形状の両側部を鼻の上端部側面と眼の外側部分との形状に沿ってそれぞれ撓み変形させながら皺を生じさせることなく瞼から隙間を存して瞬きが可能な緊張状態に正確に貼着することができ、光の遮断性を良好にすることができると共に精度のよい検査を円滑に行うことができる。
【発明を実施するための最良の形態】
【００１３】
次に、本発明の具体的な実施の形態を図面について説明すると、図１〜図３において、視野の検査用眼覆いは、片面全面に粘着剤層２を層着してなる支持シート１と、この支持シート１の型面中央部に上記粘着剤層２を介して一体に貼着してなる眼覆いパッド３と、この眼覆いパッド３の外周端から外方に向かって突出している支持シート１における外周部の粘着剤層２に剥離可能に貼着して上記眼覆いパッド３を被覆している剥離紙4a、4bとから構成している。
【００１４】
支持シート１は、柔軟性を有する薄い布地又は合成樹脂製フィルム、或いは紙等の不織布からなり、図４に示すように片方の眼Ａにおいてその上方の眉毛Ｂを含む該眼の周囲全体を被覆可能な大きさ、具体的には長径が85mmで短径が70mm程度の横長楕円形状又は横長長円形状に形成されている。一方、この支持シート１の粘着剤層２上に貼着した上記眼覆いパッド３は、支持シート１よりも肉厚の不織布又は布地よりなり、支持シート１よりも一回り小さい横長楕円形状又は横長長円形状に形成されていると共にその上端部における横幅方向の中央部に上方に向かって眉毛Ｂを全面的に被覆可能な大きさを有する横長長方形状の眉毛被覆突縁部3aを突設している。
【００１５】
そして、この眉毛被覆突縁部3aの上端面を支持シート１の上端面中央部に合致させた状態にして該眉毛被覆突縁部3aを支持シート１の外周部における上端部の粘着剤層２上に貼着していると共にその他の粘着剤層２の外周部を眼覆いパッド３の眉毛被覆突縁部3a以外の外周端から外方に約10mm程度の幅だけ露出させた状態にして支持シート１の中央部の粘着剤層２上に眼覆いパッド３を貼着している。即ち、眼覆いパッド３の眉毛被覆突縁部3aを貼着させている上端部を除く支持シート１の外周部を眼覆いパッド３の外周端から外方に突出させている。
【００１６】
なお、眼覆いパッド３は支持シート１に対向する面から外周端面に亘って支持シート１に全面的に被覆された状態、即ち、眼覆いパッド３を貼着させた支持シート１の中央部分を支持シート１の厚み分に相当する深さだけ窪ませた状態にしてその粘着剤層２に眼覆いパッド３を貼着してあり、従って、この眼覆いパッド３の露出面と眼覆いパッド３の外周端から突出している支持シート１の外周部分の粘着剤層２とを面一となるように形成している。
【００１７】
剥離紙4a、4bはそれぞれ支持シート１の上半部と下半部と同形、同大の大きさ、形状に形成されていると共に対向端部に互いに重ね代4a1 、4b1 を設けてあり、対向端部を除く外周部をそれぞれ眼覆いパッド３の外周端から外方に露出している支持シート外周部上の粘着剤層２における上半部と下半部とに剥離可能に貼着し、対向する重ね代4a1 、4b1 を重ね合わせて眼覆いパッド３を全面的に被覆している。
【００１８】
なお、この剥離紙4a、4bは支持シート１の上半部と下半部とにそれぞれ剥離可能に貼着しているが、支持シート１の右半部分と左半部分との形状、大きさに等しくして支持シート１の右半部分と左半部分とをそれぞれ剥離可能に全面的に被覆した構造としておいてもよい。
【００１９】
このように構成した眼覆いを使用して両眼の視野を順次検査するには、まず図２に示すように剥離紙4a、4bによって眼覆いパッド３を被覆、保護している状態からこれらの剥離紙4a、4bを剥離して図１に示すように眼覆いパッド３を全面的に露出させたのち、この眼覆いパッド３の上端部に形成している眉毛被覆突縁部3aを片方の眼Ａの眉毛Ｂに当てがって該眉毛Ｂを被覆し、この眉毛被覆突縁部3aの両側端から周方向に露出している粘着剤層２を設けた支持シート１の外周部において図４、図５に示すように、鼻側に対向する内側部分の粘着剤層部2aを眼Ａの内側端から隆起した鼻の上端部における対向側面に貼着し、耳側に対向する外側部分の粘着剤層部2bを眼Ａの眼窩外側方の皮膚上に貼着し、さらに、下側の粘着剤層部2cを眼Ａの眼窩から下方部の顔面皮膚上に貼着する。
【００２０】
この際、支持シート１は眉毛Ｂを含む眼の周囲全体を被覆可能な横長楕円形状又は横長長円形状に形成しているので、眼覆いパッド３の眉毛被覆突縁部3aを眉毛Ｂに重ね合わせるだけで、眼覆いパッド３の内側端から鼻側に向かって突出している支持シート１の凸円弧状部分を鼻稜（鼻の正中線）を越えることなく該鼻の側面の表面形状に沿って撓ませながら皺を生じさせることなく正確に貼着することができ、さらに、眼覆いパッド３の外側端から耳側に向かって突出している支持シート１の凸円弧状部分を眼Ａの眼窩外側方の皮膚上に自然と対向させて確実に貼着させることができる。
【００２１】
このように支持シート１を眼の周囲に貼着すると、眼覆いパッド３は上端側においてはその眉毛被覆突縁部3aで眉毛Ｂを被覆し、下端部が眼Ａの眼窩部分から隆起した該眼窩の下方の顔面部分上に位置してあり、且つ、凸円弧状の両側部分は眼Ａの眼窩の両側方から隆起している鼻部の側面と耳側の皮膚面上にそれぞれ貼着されて眼Ａと対向している面が瞼から離れた状態で張設され、従って、瞬きが可能なように眼覆いパッド３によって該眼Ａを被覆した状態にすることができる。
【００２２】
こうして一方の片眼Ａを眼覆いパッド３によって被覆して他方の片眼Ａの視野の検査を行ったのち、この眼覆いパッド３を貼着している支持シート１を眼の周囲から剥離し、次いで、この支持シート１における眼覆いパッド３の外周端から突出している粘着剤層２の外周部を他方の片眼Ａの周囲に上記同様にして貼着して眼覆いパッド３により該眼Ａを被覆し、一方の片眼Ａの視野の検査を行うものである。このように両眼の視野の検査を行ったのち、この眼覆いを廃棄し、次の検査時には新たな眼覆いを使用する。
【００２３】
図６〜図８は本発明の視野等の検査用眼覆いの変形例を示すもので、上記実施の形態においては、眼覆いパッド３の上端部に一体に形成している眉毛被覆突縁部3aの形状を横長長方形状に形成しているが、この図６〜図８に示す眼覆いは、横長楕円形状又は横長長円形状に形成している眼覆いパッド３の上周部を上方に突出させて両側端面が眼覆いパッド３の凸円弧状両側端面に連続した凸円弧状に形成している眉毛被覆突縁部3aに形成してなるものである。
【００２４】
そして、眉毛Ｂを全面的に被覆する大きさに形成されている上記眉毛被覆突縁部3a以外の眼覆いパッド３の外周端から支持シート１の外周部の粘着剤層２を露出させていると共に眉毛被覆突縁部3aは上記実施の形態と同様に支持シート１の上周部側の粘着剤層２に貼着してその粘着剤層２を全面的に隠蔽し、その上端面を支持シート１の上端面に面一状に合致させた状態で剥離紙4a、4bによって被覆されている。なお、眼覆いパッド３における眼Ａを被覆する側の面とこの眼覆いパッド３の外周端から露出している支持シート１の外周部の粘着剤層２とは面一となるように支持シート１に眼覆いパッド３を貼着している。
【００２５】
このように構成した視野等の検査用眼覆いによって視野を検査する場合、上述したように剥離紙4a、4bを剥離した後、その眉毛被覆突縁部3aによって図８に示すように眉毛Ｂを被覆し、この眉毛被覆突縁部3aの両側端から周方向に露出している粘着剤層２を設けた支持シート１の外周両側部において、鼻側に対向する内側部分の粘着剤層部2aを眼Ａの内側端から隆起した鼻の上端部における対向側面に貼着し、耳側に対向する外側部分の粘着剤層部2bを眼Ａの眼窩外側方の皮膚上に貼着し、さらに、下側の粘着剤層部2cを眼Ａの眼窩から下方部の顔面皮膚上に貼着することにより瞬きが可能な状態に眼Ａを被覆し、この状態にして検査を行うものである。なお、本発明の眼覆いは、視野の検査以外に、視力の測定時や紫外線遮断用等の眼覆いとしても使用することができる。
【図面の簡単な説明】
【００２６】
【図１】剥離紙を剥離した状態の眼覆いの斜視図。
【図２】剥離紙によって被覆している眼覆いの斜視図。
【図３】その縦断側面図。
【図４】使用状態を示す簡略正面図。
【図５】その縦断側面図。
【図６】本発明の別な眼覆いの剥離紙を剥離した状態の斜視図。
【図７】剥離紙によって被覆している状態の斜視図。
【図８】使用状態を示す簡略正面図。
【符号の説明】
【００２７】
１    支持シート
２    粘着剤層
３    眼覆いパッド
３ａ  眉毛被覆突縁部
４ａ、４ｂ    剥離紙
Ａ    眼
Ｂ    眉毛
【図１】
2006158561.tif 000003
【図２】
2006158561.tif 000004
【図３】
2006158561.tif 000005
【図４】
2006158561.tif 000006
【図５】
2006158561.tif 000007
【図６】
2006158561.tif 000008
【図７】
2006158561.tif 000009
【図８】
2006158561.tif 000010